(57)【要約】【課題】表示パネルの周縁部を覆うフレームの連結部の数を削減することができ、またフレーム全体の強度を向上させることができる表示装置を提供する。【解決手段】所定の寸法に切断された長尺状の素材を折り曲げ加工することで表示パネル１の周縁部とリアキャビネットの周縁部とを覆うフレーム３のカバー部３０を成形する。そして、該素材の端部分を連結部３１で連結することでフレーム３を形成する。そのため、フレーム３における連結部３１の数が削減され、フレーム全体の強度が向上する。【選択図】図１
2011123297.tif 000002
【特許請求の範囲】
【請求項１】
映像を表示する表示パネルと、
該表示パネルの周縁部を覆うフレームと
を備える表示装置において、
前記フレームは、
長尺状の素材を折り曲げ加工することによって枠状に成形され、前記表示パネルの周縁部を覆うカバー部と、
前記素材の端部分を連結する連結部と
を備えることを特徴とする表示装置。
【請求項２】
前記表示パネルの後側に配置され、前側に開放部を有する箱体状をなし、該開放部の周縁から外側方向に突出した延出部を有するリアキャビネットを備え、
前記カバー部は、
前記表示パネルの周縁部前側を覆う前壁部と、
該前壁部の外周縁から後側に突出し、前記表示パネルの周縁部及び前記延出部の周縁部を覆う周壁部と、
前記前壁部から後側に突出し、前記周壁部に平行して該前壁部に周設された複数の内壁部と
を有し、
該複数の内壁部の間にある溝と対向する前記延出部の位置に挿通孔を開設してあること
を特徴とする請求項１に記載の表示装置。
【請求項３】
映像を表示する表示パネルと、
該表示パネルの後側に配置され、前側に開放部を有する箱体状をなし、該開放部の周縁から外側方向に突出した延出部を有するリアキャビネットと、
前記表示パネルの周縁部前側から前記延出部の周縁部後側までを覆うフレームと
を備える表示装置において、
前記フレームは、
半割筒状をなす長尺の素材を溝の開放方向に折り曲げ加工することによってコ字形状に成形された二つのカバー部と、
前記素材の端部分を連結する連結部と
を備えることを特徴とする表示装置。
【請求項４】
前記カバー部の折り曲げ部分の厚さが、他の部分の厚さよりも薄いことを特徴とする請求項１から請求項３のいずれか１つに記載の表示装置。
【請求項５】
前記素材の一の側辺部にＶ字形状の切欠を複数有し、
前記カバー部は、該切欠を閉じる方向に折り曲げて成形してあること
を特徴とする請求項１から請求項３のいずれか１つに記載の表示装置。
【請求項６】
表示パネルの周縁部に配設されたフレームの製造方法において、
長尺状の素材を折り曲げ加工するステップと、
前記素材の端部分を連結するステップと
を備えることを特徴とする表示装置のフレーム製造方法。
【請求項７】
前記折り曲げ加工するステップは、
前記素材の一の側辺部にＶ字形状の切欠を複数設けるステップと、
前記素材を該切欠が閉じる方向に折り曲げるステップと
を備えることを特徴とする請求項６に記載の表示装置のフレーム製造方法。
【発明の詳細な説明】
【技術分野】
【０００１】
本発明は映像を表示する表示装置及び表示装置のフレーム製造方法に関する。より詳細には、液晶表示装置、プラズマ表示装置、ＳＥＤ（Surface-conduction Electron-emitter Display）、ＥＬ（electroluminescence）ディスプレイ等の薄型の表示装置及び表示装置のフレーム製造方法に関する。
【背景技術】
【０００２】
表示画面の大きさに比べて室内の占有面積が小さい液晶表示装置は、限られた室内空間を有効に利用することができることから、一般に広く普及している。液晶表示装置は、フレームの内側に配置された映像を表示する液晶表示パネルに、リアキャビネットに収容してある光源から光を照射して、映像を表示するように構成されている。
【０００３】
近年、液晶表示装置の画面サイズは大型化している。フレームが射出成型によって成形される場合、該フレームの成形に使用される金型が大型化する。そのため、金型への投資金額が増大し、液晶表示装置の製造費用の負担が増す。
【０００４】
フレームの成形に必要な製造費用を削減すべく、特許文献１及び２には、上辺部、下辺部、左辺部及び右辺部を有するフレームを備え、これらの端部を連結部にて連結した表示装置が開示されている。各辺部は、押出し成型によって断面形状が一様な長尺状の素材を成形し、該素材を所定の寸法に切断することによって製造している。このように各辺部の製造には金型を使用しないため、製造費用を削減することができる。また夫々の画面サイズに即時に対応して前記フレームを製造することができる。
【先行技術文献】
【特許文献】
【０００５】
【特許文献１】特開２００４−１２５６０号公報
【特許文献２】特開２００８−６５３３５号公報
【発明の概要】
【発明が解決しようとする課題】
【０００６】
しかし特許文献１及び２に記載の表示装置にあっては、上辺部、下辺部、左辺部及び右辺部の端部を連結するために、四箇所の連結部を必要とする。作業者はビスなどによって各辺部を連結しなければならず、前記表示装置の製造に長時間を要し、前記表示装置の製造費用が十分に削減されていないという問題がある。また前記フレームは、各辺部を連結することで組立てられるため、フレーム全体の強度が低くなる。
【０００７】
本発明は斯かる事情を鑑みてなされたものであり、連結部の数を削減して製造費用を削減することができ、フレーム全体の強度を向上させることができる表示装置及び表示装置のフレーム製造方法を提供することを目的とする。
【課題を解決するための手段】
【０００８】
本発明に係る表示装置は、映像を表示する表示パネルと、該表示パネルの周縁部を覆うフレームとを備える表示装置において、前記フレームは、長尺状の素材を折り曲げ加工することによって枠状に成形され、前記表示パネルの周縁部を覆うカバー部と、前記素材の端部分を連結する連結部とを備えることを特徴とする。
【０００９】
本発明に係る表示装置は、前記表示パネルの後側に配置され、前側に開放部を有する箱体状をなし、該開放部の周縁から外側方向に突出した延出部を有するリアキャビネットを備え、前記カバー部は、前記表示パネルの周縁部前側を覆う前壁部と、該前壁部の外周縁から後側に突出し、前記表示パネルの周縁部及び前記延出部の周縁部を覆う周壁部と、前記前壁部から後側に突出し、前記周壁部に平行して該前壁部に周設された複数の内壁部とを有し、該複数の内壁部の間にある溝と対向する前記延出部の位置に挿通孔を開設してあることを特徴とする。
【００１０】
本発明に係る表示装置は、映像を表示する表示パネルと、該表示パネルの後側に配置され、前側に開放部を有する箱体状をなし、該開放部の周縁から外側方向に突出した延出部を有するリアキャビネットと、前記表示パネルの周縁部前側から前記延出部の周縁部後側までを覆うフレームとを備える表示装置において、前記フレームは、半割筒状をなす長尺の素材を溝の開放方向に折り曲げ加工することによってコ字形状に成形された二つのカバー部と、前記素材の端部分を連結する連結部とを備えることを特徴とする。
【００１１】
本発明に係る表示装置は、前記カバー部の折り曲げ部分の厚さが、他の部分の厚さよりも薄いことを特徴とする。
【００１２】
本発明に係る表示装置は、前記素材の一の側辺部にＶ字形状の切欠を複数有し、前記カバー部は、該切欠を閉じる方向に折り曲げて成形してあることを特徴とする。
【００１３】
本発明に係る表示装置のフレーム製造方法は、表示パネルの周縁部に配設されたフレームの製造方法において、長尺状の素材を折り曲げ加工するステップと、前記素材の端部分を連結するステップとを備えることを特徴とする。
【００１４】
本発明に係る表示装置のフレーム製造方法は、前記折り曲げ加工するステップは、前記素材の一の側辺部にＶ字形状の切欠を複数設けるステップと、前記素材を該切欠が閉じる方向に折り曲げるステップとを備えることを特徴とする。
【００１５】
本発明の表示装置及び表示装置のフレーム製造方法にあっては、カバー部が折り曲げ加工によって成形されることから、表示パネルの四隅において上辺部、下辺部、左辺部及び右辺部を連結する必要がなくなり、連結部の数が減る。例えば、表示パネルの周縁全体の寸法に切断された一枚の長尺状の素材を折り曲げ加工によって前記カバー部を成形する場合、一つの連結部で前記素材の両端を連結すれば足りる。また前記折り曲げ加工によって、フレームを構成する上辺部、下辺部、左辺部及び右辺部が一体として成形される。
【００１６】
本発明の表示装置にあっては、フレームのカバー部を形成し、表示パネルの周縁部前側を覆う前壁部に複数の内壁部を設けることで、該複数の内壁部の間にある溝に螺子を螺合することができる。そのため、前記表示パネルの周縁部と延出部の周縁部とを螺子でフレームに固定する場合に、螺子止め孔を設ける必要がなくなる。また前記複数の内壁部は前記カバー部を構成する上辺部、下辺部、左辺部及び右辺部の夫々の長さ方向に設けられているため、各辺部において任意の位置で螺子止めをすることができる。また前記フレームは、前記表示パネルの周縁部を挟持するベゼルと該ベゼルを覆うフロントキャビネットとの両方の機能を果たすため、表示装置を構成する部材の数を減らすことができる。
【００１７】
本発明の表示装置にあっては、フレームのカバー部は半割筒状をなし、該カバー部の溝に表示パネルの周縁部と延出部の周縁部とが嵌入されるため、両周縁部を挟持することができる。これよって、前記表示パネルの周縁部と前記延出部の周縁部とをフレームに固定する場合に用いられる螺子と螺子止めとを不要にする。
【００１８】
本発明の表示装置にあっては、カバー部の折り曲げ部分の厚さを、他の部分の厚さよりも薄くしている。これによって、折り曲げ加工によって前記カバー部の角部分に生じるしわなどの発生を抑制することができ、カバー部を成形する素材を容易に曲げることができる。
【００１９】
本発明の表示装置及び表示装置のフレーム製造方法にあっては、所定の寸法に切断された長尺状の素材の一の側辺部に、Ｖ字形状の切欠を複数設け、該切欠が閉じる方向に前記素材を折り曲げている。これにより、外観を損なわずにカバー部の折り曲げ部分を成形することができ、前記素材を容易に曲げることができる。
【発明の効果】
【００２０】
本発明では、所定の寸法に切断された長尺状の素材を折り曲げ加工することによってフレームのカバー部を成形する。このため、フレームを構成する連結部の数を削減し製造費用の削減を図ることができる。また前記折り曲げ加工によって、前記フレームを構成する上辺部、下辺部、左辺部及び右辺部を一体として成形することができ、前記フレームの強度を向上させることができる。
【図面の簡単な説明】
【００２１】
【図１】実施の形態１に係る表示装置を示す斜視図である。
【図２】フレームの角部分の拡大図である。
【図３】実施の形態１に係る表示装置を構成するフレームのカバー部の断面図である。
【図４】実施の形態１に係る表示装置を示す平面断面図である。
【図５】実施の形態１に係る表示装置の他の例を示す正面図である。
【図６】実施の形態２に係る表示装置を構成するフレームの角部分の折り曲げ方法を説明するための説明図である。
【図７】実施の形態３に係る表示装置を示す正面図である。
【図８】実施の形態３に係る表示装置を構成するフレームの第１カバー部の断面図である。
【図９】実施の形態３に係る表示装置を示す平面断面図である。
【図１０】実施の形態３に係る表示装置を構成するフレームの組立て方法を説明する説明図である。
【発明を実施するための形態】
【００２２】
（実施の形態１）
以下本発明を実施の形態１に係る表示装置を示す図面に基づいて詳述する。図１は表示装置を示す斜視図である。
図において１は液晶を備える矩形の表示パネルであり、表示パネル１は、液晶への印加電圧を制御して光の透過率を調整し、映像を前面に表示するように構成されている。表示パネル１の後側にリアキャビネット２が配置されている。リアキャビネット２は、前面が開放され、底面が矩形の箱体状をなしている。リアキャビネット２の縦及び横の寸法は、表示パネル１の縦及び横の寸法と略同じである。表示パネル１の周縁部にフレーム３が配置されている。フレーム３は、矩形の枠状をなし、表示パネル１の周縁部とリアキャビネット２の周縁部とを覆っている。
【００２３】
フレーム３は、矩形の表示パネル１の周縁部及びリアキャビネット２の周縁部を覆うカバー部３０と、カバー部３０の前側に配置され、カバー部３０に成形される長尺状の素材の両端を連結する矩形の連結部３１とで構成される。連結部３１は下辺部の長さ方向の中央に配置されている。カバー部３０と連結部３１とは螺子（図示せず）で固定される。
【００２４】
図２はフレーム３の角部分の拡大図である。フレーム３は、断面形状が一様で、表示パネル１の周縁全体の寸法に切断された長尺状の素材を、表示パネル１の周縁部の形状に合わせて該素材の幅方向に折り曲げ加工することで成形される。該折り曲げ加工によって、フレーム３を構成する上辺部、下辺部、左辺部及び右辺部を一体として成形している。また前記素材の折り曲げ部分の厚さを該折り曲げ部分を除く各辺部分（請求項４の他の部分に該当）の厚さよりも薄くしている。前記素材はアルミニウム等の金属で、押出し成型によって長尺状に成形された押出し材である。
【００２５】
図３はカバー部３０の断面図である。カバー部３０は前壁部３００と周壁部３０１と二つの内壁部３０２，３０２とで構成されている。前壁部３００は、表示パネル１の周縁部前側に配置されている。前壁部３００は、表示パネル１の周縁全体の寸法に切断された長尺状の素材を表示パネル１の周縁部の形状に合わせて、幅方向に折り曲げて成形されている。
【００２６】
周壁部３０１は前壁部３００の外周縁全体から後側に前壁部３００に垂直な方向に突出し、各辺部にて矩形をなしている。周壁部３０１は表示パネル１の周縁部とリアキャビネット２の周縁部とを覆っている。
【００２７】
二つの内壁部３０２，３０２は夫々周壁部３０１よりも内側に位置し、前壁部３００から後側に前壁部３００に垂直な方向に突出している。二つの内壁部３０２，３０２は夫々周壁部３０１に平行し、前壁部３００に周設されている。二つの内壁部３０２，３０２は前壁部３００の幅方向に互いに対向しており、所定の離間距離を有する。二つの内壁部３０２，３０２の形状は、高さが周壁部３０１よりも低いことを除けば、夫々周壁部３０１の形状と略同じである。二つの内壁部３０２，３０２と前壁部３００とによって、二つの内壁部３０２，３０２の間に溝３０３が設けられている。
【００２８】
図４は、実施の形態１に係る表示装置を示す平面断面図である。表示パネル１は、周縁部前側に配置された前壁部３００と周縁部後側に配置された矩形のパネル保持枠４とによって、表示パネル１の周縁部が挟持されている。表示パネル１とパネル保持枠４との間に、細長い複数の弾性部材４０がパネル保持枠４の内側面に沿って設けてある。
【００２９】
表示パネル１の後側には、冷陰極蛍光管５（光源）の光を表示パネル１へ向けて集光する矩形の光学シート６が配置されている。光学シート６の周縁部とパネル保持枠４との間に、細長い複数の弾性部材４１が設けてある。光学シート６の後側には、冷陰極蛍光管５の光を均一に拡散する矩形の拡散板７が設けてある。拡散板７は、深皿形状のバックライトシャーシ８の周縁部によって支持されている。バックライトシャーシ８の内壁前面には、複数の冷陰極蛍光管５，５，・・・，５が設けてある。
【００３０】
バックライトシャーシ８の後側には前面が開放された矩形の開放部２１を有する箱体状のリアキャビネット２が設けてある。リアキャビネット２は、開放部２１の周縁から表示パネル１に平行な外側方向に突出した矩形の延出部２０を備えている。リアキャビネット２の縦及び横の寸法とフレーム３の縦及び横の寸法とは略同じであり、リアキャビネット２の延出部２０とフレーム３の前壁部３００とは互いに対向する。
【００３１】
溝３０３に対向する位置にパネル保持枠４があり、パネル保持枠４の後側にリアキャビネット２の延出部２０が位置している。リアキャビネット２の延出部２０とパネル保持枠４とに、夫々円い挿通孔２２，４２が前壁部３００に垂直な方向に開設されている。二つの挿通孔２２，４２は溝３０３と対向した位置に連通している。二つ挿通孔２２，４２に螺子９を挿入し、溝３０３に螺合させることで表示パネル１の周縁部と延出部２０の周縁部とをカバー部３０に固定している。これにより、表示パネル１を保持するベゼルと該ベゼルを覆うフロントキャビネットとの機能を実現している。
【００３２】
二つの内壁部３０２，３０２の前記離間距離は螺子９の挿入部分における螺子９の直径よりも短くなっている。これにより螺子９を溝３０３に螺合させることができ、リアキャビネット２とパネル保持枠４とがフレーム３に強く固定される。
【００３３】
なお内壁部３０２の数は二つに限定されない。二つ以上の内壁部３０２，３０２，・・・，３０２を設けても良い。この場合、複数の内壁部３０２，３０２，・・・，３０２の間に複数の溝３０３，３０３，・・・，３０３が設けられる。溝３０３，３０３，・・・，３０３と対向するリアキャビネット２の延出部２０及びパネル保持枠４に挿通孔２２，２２，・・・，２２，４２，４２，・・・，４２が開設される。
【００３４】
実施の形態１に係る表示装置にあっては、フレーム３の連結部３１で連結する箇所が一つで足りることから、連結部３１と連結時に使用する螺子とを削減することができ、作業者が表示装置の製造に要する時間を短くすることができる。またカバー部３０において、上辺部、下辺部、左辺部及び右辺部が一体となっていることからフレーム全体の強度を向上させることができる。
【００３５】
またカバー部３０の折り曲げ部分の厚さを、カバー部３０の折り曲げ部を除く各辺部分の厚さよりも薄くしている。これによって、カバー部３０を形成する素材の折り曲げによって生じるしわなどの発生を抑制することができ、容易に折り曲げることができる。また二つの内壁部３０２，３０２が夫々周壁部３０１に平行して、表示パネル１の周縁部全域に亘って設けられている。このため、表示パネル１の周縁部において、溝３０３に対向するリアキャビネット２の延出部２０及びパネル保持枠４の任意の位置に挿通孔２２，４２を開設し、螺子９を螺合することができる。
【００３６】
またフレーム３は、表示パネル１の周縁部を挟持するベゼルと該ベゼルを覆うフロントキャビネットとの両方の機能を果たすため、表示装置を構成する部材の数を削減することができる。該部材の数の削減によって、製造費用を削減することができ、表示装置の重さを軽量化することができる。また表示装置の厚さも薄くなるため、薄型化を実現することができる。
【００３７】
またカバー部３０に成形される長尺状の素材は押出し成型によって成形されることから、金型が不要となり、製造費用を削減することができる。
【００３８】
図５は、実施の形態１に係る表示装置の他の例を示す正面図である。図５（ａ）は、右辺部の長さ方向の中央にて、カバー部３０を連結部３１で連結している正面図であり、図５（ｂ）は、下辺部と右辺部とが接する角部分にて、カバー部３０を連結部３１で連結している正面図である。このようにカバー部３０を連結部３１で連結する位置は、図１に示した表示パネル１の下辺部の長さ方向の中央に限定されず、表示パネル１の周縁部における任意の位置に連結部３１を配置しても良い。
【００３９】
また連結部３１の配置はカバー部３０の前側に限定されない。カバー部３０の後側に連結部３１を配置しても良い。
【００４０】
なお実施の形態１に係る表示装置は光源として冷陰極蛍光管５を使用しているが、ＬＥＤ（Light Emitting Diode）を光源として使用しても良い。また、実施の形態１に係る表示装置は液晶表示装置に限定されず、プラズマ表示装置、ＳＥＤ、ＥＬディスプレイ等であっても良い。
【００４１】
（実施の形態２）
以下本発明を実施の形態２に係る表示装置を示す図面に基づいて詳述する。図６は実施の形態２に係る表示装置を構成するフレーム３の角部分の折り曲げ方法を説明するための説明図である。図６（ａ）は、断面形状が一様な長尺状の素材に設けられたＶ字形状の切欠３２を示している。該素材は表示パネル１の周縁全体の寸法に切断されており、切欠３２は該素材の一の側辺部に設けられている。切欠３２を構成する二辺は該素材の幅方向に対して４５度で傾斜している。またＶ字形状をなす切欠３２の底部分は円く形成している。四つの切欠３２，３２，３２，３２は前記素材の前記一の側辺部にて、前記素材の長さ方向に並設されている。
【００４２】
図６（ｂ）は、図６（ａ）に示した切欠３２を有する前記素材を、切欠３２が閉じる方向に折り曲げることによって成形されたカバー部３０の折り曲げ部分を示している。切欠３２の底部分を円くしたことによって、前記素材を折り曲げた際、該素材の外周縁の曲がり部分に円みを持たせることができる。
【００４３】
実施の形態２に係る表示装置にあっては、前記素材に切欠３２を設けた後、該素材を切欠３２が閉じる方向に折り曲げることによって、外観を損なうことなくカバー部３０の折り曲げ部分を成形することができる。また切欠３２を設けたことで容易に前記素材を折り曲げることができる。
【００４４】
上述した実施の形態２の他の構成は実施の形態１と同様の構成であるので、その詳細な説明を省略する。
【００４５】
（実施の形態３）
以下本発明を実施の形態３に係る表示装置を示す図面に基づいて詳述する。図７は実施の形態３に係る表示装置を示す正面図である。実施の形態３に係る表示装置を構成するフレーム３ａは、表示パネル１の周縁部前側からリアキャビネット２ａの周縁部後側までを覆っている。リアキャビネット２ａは、バックライトシャーシ８の後側に配置され、前面が開放された矩形の開放部２１ａを有する箱体状をなし、開放部２１ａの周縁から表示パネル１に平行な外側方向に突出した矩形の延出部２０ａを備えている（図９参照）。
【００４６】
フレーム３ａは、第１カバー部３０ａと、第２カバー部３０ｂと、第１カバー部３０ａ及び第２カバー部３０ｂを連結する二つの連結部３１，３１とを備える。第１カバー部３０ａは、表示パネル１の上辺部の全体と左辺部及び右辺部の夫々の上端から中央までとを覆っている。第２カバー部３０ｂは、下辺部の全体と左辺部及び右辺部の夫々の下端から中央までとを覆っている。第１カバー部３０ａ又は第２カバー部３０ｂと連結部３１とは螺子（図示せず）によって固定される。第１カバー部３０ａ及び第２カバー部３０ｂは、夫々コ字形状をなしている。
【００４７】
なお二つの連結部３１，３１の配置は表示パネル１の左辺部及び右辺部において夫々の中央位置に限定されない。二つの連結部３１，３１を前記左辺部及び前記右辺部において夫々の任意の位置に配置し、該配置に対応する第１カバー部３０ａ及び第２カバー部３０ｂを折り曲げ加工によって成形しても良い。また二つの連結部３１，３１の配置は前記左辺部及び前記右辺部に限定されない。二つの連結部３１，３１を表示パネル１の上辺部及び下辺部の夫々に配置して、第１カバー部３０ａが前記左辺部の全体と前記上辺部の一部と前記下辺部の一部とを覆い、第２カバー部３０ｂが前記右辺部の全体と前記上辺部の一部と前記下辺部の一部とを覆うように構成しても良い。
【００４８】
図８は第１カバー部３０ａの断面図である。第１カバー部３０ａは前壁部３０ｃと後壁部３０ｄと周壁部３０ｅとを備えている。前壁部３０ｃは表示パネル１の周縁部前側に配置され、表示パネル１の上辺部の全体と左辺部及び右辺部の夫々の上端から中央までとを覆っている。前壁部３０ｃは、表示パネル１の周縁部の形状に合わせて、所定の寸法に切断された長尺状の素材を幅方向に折り曲げて成形されている。
【００４９】
後壁部３０ｄはリアキャビネット２ａの延出部２０ａの後側に配置され、リアキャビネット２ａの上辺部の全体と左辺部及び右辺部の夫々の上端から中央までとを覆っている。後壁部３０ｄは、リアキャビネット２ａの周縁部の形状に合わせて、所定の寸法に切断された長尺状の素材を幅方向に折り曲げて成形されている。前壁部３０ｃの縦及び横の寸法は、後壁部３０ｄの縦及び横の寸法と略同じであり、前壁部３０ｃと後壁部３０ｄとは互いに対向している。
【００５０】
周壁部３０ｅは、表示パネル１の周縁に配置され、表示パネル１の周縁部と延出部２０ａの周縁部とを覆っている。周壁部３０ｅは前壁部３０ｃの外側辺から後側に前壁部３０ｃに垂直な方向に突出し、後壁部３０ｄの外側辺に連続している。周壁部３０ｅは後壁部３０ｄと直角をなしている。前壁部３０ｃと後壁部３０ｄと周壁部３０ｅとによって、周壁部３０ｅを底面とする溝３０ｆが設けられている。また第１カバー部３０ａは、凹部分の底が矩形の平面である半割筒状の長尺の素材が表示パネル１の周縁部と延出部２０ａの周縁部とを覆う形状となっている。
【００５１】
なお、第２カバー部３０ｂは、第１カバー部３０ａと上下対称であり、第２カバー部３０ｂの断面構成は第１カバー部３０ａの断面構成と略同じである。
【００５２】
図９は実施の形態３に係る表示装置を示す平面断面図である。矩形のパネル保持枠４ａは、表示パネル１の周縁部後側に配置されている。パネル保持枠４ａと表示パネル１の周縁部前側に配置された前壁部３０ｃとは表示パネル１の周縁部を挟持している。パネル保持枠４ａにおいて、表示パネル１に垂直な方向の大きさは溝３０ｆの幅と略同じである。表示パネル１とパネル保持枠４ａとの間に、細長い複数の弾性部材４０が、パネル保持枠４ａの内側面に沿って設けてある。
【００５３】
表示パネル１の後側には、光学シート６が配置されている。光学シート６とパネル保持枠４ａとの間に、細長い複数の弾性部材４１が、光学シート６の周縁部に沿って設けてある。光学シート６の後側には拡散板７が設けてある。拡散板７は、バックライトシャーシ８の周縁部にて支持されている。バックライトシャーシ８の内壁前面には、複数の冷陰極蛍光管５，５，・・・，５が設けてある。バックライトシャーシ８の後側には底面が矩形であり、前面が開放された矩形の開放部２１ａを有する箱体状のリアキャビネット２ａが設けてある。リアキャビネット２ａは開放部２１ａの周縁から外側に表示パネル１に平行して突出した矩形の延出部２０ａを有している。延出部２０ａの後側に後壁部３０ｄが配置されている。
【００５４】
溝３０ｆによって、表示パネル１の周縁部及び延出部２０ａの周縁部は、螺子を使用せずに挟持されている。なお第２カバー部３０ｂの場合、実施の形態３に係る表示装置の平面断面図は、図９と略同じである。
【００５５】
図１０はフレーム３ａの組立て方法を説明する説明図である。図１０に示すように、第１カバー部３０ａは、表示パネル１の上側から挿入される。同様に、第２カバー部３０ｂは、表示パネル１の下側から挿入される。これらの挿入によって、第１カバー部３０ａ及び第２カバー部３０ｂ夫々の内側面に設けられている溝３０ｆ，３０ｆには、表示パネル１の周縁部と延出部２０ａの周縁部とが嵌入されることになる。第１カバー部３０ａ及び第２カバー部３０ｂの端部分に二つの連結部３１，３１を配置し、螺子（図示せず）によって第１カバー部３０ａ及び第２カバー部３０ｂを固定する。
【００５６】
なおフレーム３ａの組立て方法は、第１カバー部３０ａ及び第２カバー部３０ｂを表示パネル１の上側及び下側から夫々挿入する方法に限定されない。第１カバー部３０ａ及び第２カバー部３０ｂを表示パネル１の左側及び右側から夫々挿入し、表示パネル１の上辺部の中央位置と下辺部の中央位置とに二つの連結部３１，３１を配置しても良い。
【００５７】
実施の形態３に係る表示装置にあっては、第１カバー部３０ａ及び第２カバー部３０ｂによって表示パネル１の周縁部と延出部２０ａの周縁部とを挟持している。そのため、螺子を用いずに、表示パネル１とリアキャビネット２ａとをフレーム３ａに固定することができる。その固定の際、螺子と螺子止めとが不要となり、作業者が組立てに要する時間を短くできるため、製造費用を削減することができる。
【００５８】
実施の形態３に係る表示装置の構成の内、実施の形態１又は２と同様の構成については同じ符号を付し、その詳細な説明を省略する。
【符号の説明】
【００５９】
１  表示パネル
２、２ａ  リアキャビネット
２０、２０ａ  延出部
２１、２１ａ  開放部
２２  挿通孔
３、３ａ  フレーム
３０  カバー部
３１  連結部
３２  切欠
３００、３０ｃ  前壁部
３０１、３０ｅ  周壁部
３０２  内壁部
３０３、３０ｆ  溝
３０ａ  第１カバー部
３０ｂ  第２カバー部
３０ｄ  後壁部
【図１】
2011123297.tif 000003
【図２】
2011123297.tif 000004
【図３】
2011123297.tif 000005
【図４】
2011123297.tif 000006
【図５】
2011123297.tif 000007
【図６】
2011123297.tif 000008
【図７】
2011123297.tif 000009
【図８】
2011123297.tif 000010
【図９】
2011123297.tif 000011
【図１０】
2011123297.tif 000012